(57)【特許請求の範囲】
【請求項１】
電子設備（Ｓ）の盗難を防止するために用いられ、ホストコンピューター（１）、接続部材（２）及び警報線（３）を備え、
前記ホストコンピューター（１）は、メインコントロール装置（１０１）、充電接触子（１０２）及び内部接続線（１０３）を備え、前記充電接触子（１０２）は前記ホストコンピューター（１）の内部に位置する前記内部接続線（１０３）によって前記メインコントロール装置（１０１）に接続され、
前記接続部材（２）は、前記電子設備（Ｓ）に固定附着されており、充電端子（２０２）、充電線（２０３）及び警報接続線（２０４）を備え、前記充電端子（２０２）と前記充電線（２０３）は電気的に接続され、前記充電線（２０３）は前記電子設備（Ｓ）の充電ポートに接続するために用いられ、前記警報接続線（２０４）は前記警報線（３）と前記電子設備（Ｓ）を接続するために用いられ、
前記警報線（３）は前記警報接続線（２０４）と前記メインコントロール装置（１０１）を接続するために用いられ、
前記ホストコンピューター（１）と前記接続部材（２）が機械接続される場合、前記充電接触子（１０２）と前記充電端子（２０２）は電気的に接続され、
前記メインコントロール装置（１０１）は電源管理モジュールを備え、前記電源管理モジュールは前記内部接続線（１０３）、前記充電接触子（１０２）、前記充電端子（２０２）、前記充電線（２０３）及び前記電子設備（Ｓ）とともに充電回路を形成し、前記電源管理モジュールは前記充電回路によって前記電子設備（Ｓ）に充電し、
前記メインコントロール装置（１０１）は警報検出モジュールを備え、前記警報検出モジュールは前記警報線（３）、前記警報接続線（２０４）、前記電子設備（Ｓ）とともに警報回路を形成し、前記警報検出モジュールは前記警報回路に異常が存在するか否かを検出するために用いられることを特徴とする盗難防止警報装置。
【請求項２】
前記ホストコンピューター（１）及び/又は前記接続部材（２）は弾性素子（２０１）をさらに備え、前記弾性素子（２０１）は前記充電端子（２０２）と前記充電接触子（１０２）が互いに接触する時に当接圧力を提供することを特徴とする請求項１に記載の盗難防止警報装置。
【請求項３】
前記弾性素子（２０１）は金メッキスプリングであることを特徴とする請求項２に記載の盗難防止警報装置。 
【請求項４】
前記接続部材（２）は使用する時に前記電子設備（Ｓ）の表面に粘着されることを特徴とする請求項１から３のいずれか一項に記載の盗難防止警報装置。
【請求項５】
前記ホストコンピューター（１）と前記接続部材（２）は全て固定接続機構を備え、前記ホストコンピューター（１）と前記接続部材（２）は前記固定接続機構によって固定接続したり分離したりすることを特徴とする請求項１から３のいずれか一項に記載の盗難防止警報装置。
【請求項６】
前記充電線（２０３）は低抵抗導線を採用することを特徴とする請求項１から３のいずれか一項に記載の盗難防止警報装置。
【請求項７】
前記警報線（３）はフレキシブルケーブルであることを特徴とする請求項１から３のいずれか一項に記載の盗難防止警報装置。
【請求項８】
前記充電接触子（１０２）は金メッキ銅シートであることを特徴とする請求項１から３のいずれか一項に記載の盗難防止警報装置。
【請求項９】
前記充電端子（２０２）は金メッキ銅端子を採用することを特徴とする請求項１から３のいずれか一項に記載の盗難防止警報装置。
【請求項１０】
前記警報接続線（２０４）と前記電子設備（Ｓ）はＭｉｃｒｏ  ＵＳＢ、Ｍｉｎｉ  ＵＳＢ、Ｌｉｇｈｔｎｉｎｇによって接続されることを特徴とする請求項１から３のいずれか一項に記載の盗難防止警報装置。
【発明の詳細な説明】
【技術分野】
【０００１】
本発明は、盗難防止警報装置に関するものであって、具体的に高効率充電機能を有する盗難防止警報装置であり、盗難防止技術分野に属する。
【背景技術】
【０００２】
リテール、展示会などの場所で展示される設備が盗まれないように、盗難防止装置で展示される設備を保護することができる。例えば、携帯電話、デジタルカメラ、タブレットコンピュータなどの電子設備をリテール又は展示する場所では、携帯電話をショーケースの上の盗難防止装置に電気的に接続することができる。顧客が電子設備の機能を了解するためにこの電子設備を操作しようとする場合、顧客は直接に電子設備を操作することができるが、電子設備と盗難防止装置の接続を切断することはできなく、もし電子設備の接続状態を強制的に切断すると、盗難防止装置は警報を行う。
【０００３】
従来の盗難防止警報装置と被保護電子設備は警報線によって接続され、警報線が切断されると、盗難防止警報装置は警報を行う。警報線は被保護電子設備に充電する機能も有する。警報線の長さは１．５ｍ〜２．５ｍであり、抵抗は０．２Ω〜１Ωであるので、電圧減衰を引き起こし、低速充電及び充電量不足の問題を招く。例えば、１Ａの電流が１Ω抵抗の充電線を流れて被保護商品に対して充電する場合、充電器から５Ｖの電圧を出力すると、被保護商品の充電端に到着するときに４Ｖに低下し、充電速度が遅いばかりでなく、充電量も不足である。
【発明の概要】
【発明が解決しようとする課題】
【０００４】
本発明が解決しようとする課題は、既存の充電機能を有する盗難防止装置は、充電時間が長く、且つ充電効果も理想ではないことである。
【課題を解決するための手段】
【０００５】
本発明に係わる盗難防止警報装置は、電子設備の盗難を防止するために用いられ、ホストコンピューター、接続部材及び警報線を備える。ホストコンピューターは、メインコントロール装置、充電接触子及び内部接続線を備え、充電接触子はホストコンピューターの内部に位置する内部接続線によってメインコントロール装置に接続される。接続部材は、電子設備に固定附着されており、充電端子、充電線及び警報接続線を備え、充電端子と充電線は電気的に接続され、充電線は電子設備の充電ポートに接続するために用いられ、警報接続線は警報線と電子設備を接続するために用いられる。警報線は警報接続線とメインコントロール装置を接続するために用いられる。ホストコンピューターと接続部材が機械接続される場合、充電接触子と充電端子は電気的に接続される。メインコントロール装置は電源管理モジュールを備え、電源管理モジュールは内部接続線、充電接触子、充電端子、充電線及び電子設備とともに充電回路を形成し、電源管理モジュールは充電回路によって電子設備に充電する。メインコントロール装置は警報検出モジュールを備え、警報検出モジュールは警報線、警報接続線、電子設備とともに警報回路を形成し、警報検出モジュールは警報回路に異常が存在するか否かを検出するために用いられる。
【０００６】
本発明の具体的な実施方式において、ホストコンピューター及び/又は接続部材は弾性素子をさらに備え、弾性素子は充電端子と充電接触子が互いに接触する時に当接圧力を提供する。
【０００７】
本発明の具体的な実施方式において、弾性素子は金メッキスプリングである。
【００１０】
本発明の具体的な実施方式において、接続部材は使用する時に電子設備の表面に粘着される。
【００１１】
本発明の具体的な実施方式において、ホストコンピューターと接続部材は全て固定接続機構を備え、ホストコンピューターと接続部材は固定接続機構によって固定接続したり分離したりする。
【００１２】
本発明の具体的な実施方式において、充電線は低抵抗導線を採用する。
【００１３】
本発明の具体的な実施方式において、警報線はフレキシブルケーブルである。
【００１４】
本発明の具体的な実施方式において、充電接触子は金メッキ銅シートである。
【００１５】
本発明の具体的な実施方式において、充電端子は金メッキ銅端子を採用する。
【００１６】
本発明の具体的な実施方式において、警報接続線と電子設備はＭｉｃｒｏ  ＵＳＢ、Ｍｉｎｉ  ＵＳＢ、Ｌｉｇｈｔｎｉｎｇによって接続される。
【発明の効果】
【００１７】
本発明に係わる盗難防止警報装置において、警報線と充電線を分離し且つ特別な機械構造を設計して充電線の長さを短縮することにより、充電線の抵抗を０．１Ω以内に減少し、盗難防止装置が被保護電子設備に対して充電するときに線路損失を最低に低減し、充電時間を短縮し、充電品質を確保する。
【図面の簡単な説明】
【００１８】
【図１】本発明に係わる盗難防止警報装置の作動原理を示す図である。
【図２】本発明に係わる盗難防止警報装置の局部拡大図である。
【図３】本発明に係わる盗難防止警報装置の回路図である。
【図４】本発明に係わる盗難防止警報装置の一実施方式の接続状態を示す図である。
【発明を実施するための形態】
【００１９】
本発明の目的、技術方案及び利点をさらに明確するために、以下、具体的な実施例を結合して図面を参照しながら本発明に対して詳しく説明する。
【００２０】
図１は本発明に係わる盗難防止警報装置の作動原理を示す図であり、図２は図１に示された盗難防止警報装置の局部拡大図である。
【００２１】
図１及び図２に示されたように、本発明に係わる盗難防止警報装置は、ホストコンピューター１と、接続部材２と、警報線３と、を備える。ホストコンピューター１は、使用する時に移動され難い固定物に固定され、例えば、机である。接続部材２は、使用する時に被保護電子設備Ｓに固定附着される。被保護電子設備Ｓは携帯電話、携帯用パソコン、タブレットコンピュータ、電紙本、デジタルカメラなどが挙げられ、これらは一般的に充電式バッテリーを有し、充電式バッテリーは外部充電回路によって充電することができる。警報線３は、ホストコンピューター１と接続部材２を接続するために用いられる。
【００２２】
図１に示されたように、ホストコンピューター１はメインコントロール装置１０１、充電接触子（ｃｏｎｔａｃｔ  ｓｈｏｅ）１０２及び内部接続線１０３を備え、充電接触子１０２はホストコンピューター１の内部に位置する内部接続線１０３によってメインコントロール装置１０１に接続される。接続部材２は充電端子２０２、充電線２０３及び警報接続線２０４を備える。充電端子２０２と充電線２０３は電気的に接続される。充電線２０３は被保護電子設備Ｓの充電ポートに接続するために用いられる。警報接続線２０４は警報線３と被保護電子設備Ｓを接続するために用いられる。警報線３は警報接続線２０４とホストコンピューター１のメインコントロール装置１０１を接続するために用いられる。
【００２３】
警報接続線２０４と被保護電子設備ＳはＭｉｃｒｏ  ＵＳＢ、Ｍｉｎｉ  ＵＳＢ、Ｌｉｇｈｔｎｉｎｇなどのコネクタによって接続される。
【００２４】
充電線２０３、内部接続線１０３、警報接続線２０４及び警報線３は全てダブルラインである。図１及び図２において、充電線２０３及び警報接続線２０４はダブルラインに表示されるが、実際には内部接続線１０３及び警報線３も全てダブルラインである。
【００２５】
メインコントロール装置１０１、警報線３、警報接続線２０４及び被保護電子設備Ｓは１つの警報回路を構成する。
【００２６】
ホストコンピューター１と接続部材２は機械接続されることができる。ホストコンピューター１の充電接触子１０２と接続部材２の充電端子２０２の位置は互いに対応するので、ホストコンピューター１と接続部材２が機械接続される場合、充電接触子１０２と充電端子２０２は電気接触を形成する。充電接触子１０２と充電端子２０２が接触する際、メインコントロール装置１０１、内部接続線１０３、充電接触子１０２、充電端子２０２、充電線２０３及び被保護電子設備Ｓは充電回路を形成する。
【００２７】
本発明のメインコントロール装置１０１は電源管理モジュールを備え（図３を参照してください）、電源管理モジュールは内部又は外部電源の供給を管理することができ、上述した充電回路によって被保護電子設備Ｓに充電する。メインコントロール装置１０１は警報検出モジュールをさらに備え（図３を参照してください）、警報検出モジュールは警報線３から信号を受信して上述した警報回路に異常があるか否かを検出する。
【００２８】
本発明において、充電回路はホストコンピューター１の内部接続線１０３によってメインコントロール装置１０１に接続され、警報回路は警報線３によってメインコントロール装置１０１に接続される。だから、警報線３の長さは需要によって設置することができ、即ち顧客が被保護電子設備Ｓを操作することに必要とする長さに設置することができ、数メートルに達することができる。このようにすると、警報線３と充電線が一本のケーブルに集積されて充電線が不必要に長くなることを免れて、充電効率を高めることができる。本発明において、充電回路と警報回路を別々に独立に設置して、充電回路の線路の長さは最も短くなり、線路損失を大幅に低減し、充電効率を高め、充電時間を短縮する。
【００２９】
図１に示されたメインコントロール装置１０１は主電源線４によって外部電源に接続されるが、本発明はこれに限定されるものではなく、ホストコンピューター１は内部電源を採用することもできる。
【００３０】
図１及び図２に示されたように、接続部材２の充電端子２０２に弾性素子（例えば、スプリングである）２０１が接続されている。充電端子２０２と充電接触子１０２が互いに接触する時、弾性素子２０１は充電端子２０２に当接圧力を提供して、充電端子２０２と充電接触子１０２が信頼性の高い電気的接触を形成することにする。もちろん、弾性素子をホストコンピューター１に設置することができ、又はホストコンピューター１及び接続部材２に全て弾性素子を設置することもできる。
【００３１】
図３は、本発明に係わる盗難防止警報装置の回路図である。図３において、充電端子２０２と充電接触子１０２を接触スイッチＫに簡略化する。メインコントロール装置１０１は電源管理モジュール及び警報検出モジュールを備える。図３に示されたように、接続部材２は接触スイッチＫによって電源管理モジュールに接続され、接触スイッチＫが閉じていると、即ち接続部材２とホストコンピューター１が互いに接触する場合、電源管理モジュールは被保護電子設備Ｓに電力を供給する。警報検出モジュールは警報線３によってずっと接続部材２に接続されているので、接触スイッチＫが閉じているか否かに係わらず、即ち接続部材２とホストコンピューター１が接触するか否かに係わらず、警報回路はずっと連通されており、盗難防止機能は終止されない。
【００３２】
以下、１つの実施例によって本発明をさらに詳しく説明する。図４は、本発明に係わる盗難防止警報装置の一実施方式の接続状態を示す図である。図４に示されたように、本実施例において、盗難防止警報装置はホストコンピューター１と接続部材２を備え、全て独立な設備であり、ケースとケース内の電子素子からなる。被保護電子設備Ｓは携帯電話である。
【００３３】
接続部材２のケースは対向する２つの面を有し、１つの面は被保護電子設備Ｓに接続される頂部接続面であり、本実施例において、接続部材２は被保護電子設備Ｓのある表面に粘着される。頂部接続面の反対側に位置する底部接続面はホストコンピューター１に接続される。底部接続面には貫通孔が開設され、充電端子２０２は底部接続面の貫通孔から外部に伸ばすことができる。又、底部接続面にはホストコンピューター１に接続される固定接続機構２０５が設置される。本実施例において、固定接続機構２０５は楔形又は溝型定位の機械機構である。接続部材２は固定接続機構２０５によってホストコンピューター１に固定接続されるか又はホストコンピューター１から分離することができ、且つ固定接続は特定の接続強度を有する。本発明は固定接続機構２０５の具体的な構造及び設計に対して限定しない。
【００３４】
ホストコンピューター１のケースも底面及び頂面を有し、底面は固定物に固定され、頂面は接続部材２の底部接続面に固定接続される。ホストコンピューター１の頂面にも固定接続機構１０５が設置されて、ホストコンピューター１と接続部材２を便利に固定接続することができる。ホストコンピューター１の頂面にも貫通孔が開設され、ホストコンピューター１の充電接触子１０２は頂面の貫通孔からケースの外部に伸ばすことができる。接続部材２とホストコンピューター１が各自の固定接続機構によって互いに接続される時、ホストコンピューター１の充電接触子１０２と接続部材２の充電端子２０２の緊密接触を確保することを必要とする。
【００３５】
本実施例において、充電接触子１０２は金メッキ銅シートを採用し、充電端子２０２は金メッキ銅端子を採用し、弾性素子２０１は金メッキスプリングを採用する。本発明は充電接触子１０２と充電端子２０２の具体的な構造に対して制限しない。
【００３６】
接続部材２は、充電線２０３及び警報接続線２０４を収容するために用いられるケーブル２０６をさらに備える。ケーブル２０６は接続部材２のケース側面の貫通孔から外部に伸ばす。本実施例において、充電線２０３は低抵抗導線を採用し、その外端は携帯電話（被保護電子設備Ｓ）の充電インターフェースに配合する接続ポートである。警報接続線２０４は普通の導線を採用し、それはＭｉｃｒｏ  ＵＳＢ、Ｍｉｎｉ  ＵＳＢ、Ｌｉｇｈｔｎｉｎｇなどのコネクタによって携帯電話（被保護電子設備Ｓ）に接続されて警報回路を構成する。
【００３７】
接続部材２のケースの内部で充電線２０３及び警報線３は全て充電端子２０２に接続される。充電端子２０２は圧縮スプリングに接続されて、充電端子２０２が充電接触子１０２に接続される時に所定の弾性支持力を提供する。
【００３８】
ホストコンピューター１のケースの側面には外部電源線を接続するための電源ジャック１０６及び警報線３を接続するための警報線ジャック１０７が設置される。ホストコンピューター１のケースの内部にはメインコントロール装置１０１が設置される。メインコントロール装置１０１は、電源管理モジュール及び警報検出モジュールを備え、さらにメインコントロールモジュール、警報モジュールなどを備える。電源管理モジュールは被保護電子設備Ｓに対して充電するために用いられ、警報検出モジュールは警報回路が正常に接続されたか否かを検出するために用いられ、もし異常が出現すると、例えば、回路が開回路になると、メインコントロールモジュールに報告して、メインコントロールモジュールは警報モジュールを制御して警報を行う。ホストコンピューター１の電源管理モジュールは主電源線４によって外部電源に接続される。
【００３９】
本実施例において、警報線３は０．４〜２．０ｍ（例えば、１ｍである）の長さを有するフレキシブルケーブルであるので、ユーザーは携帯電話（被保護電子設備Ｓ）を接続部材２に接続されたままホストコンピューター１から取り外して便利に操作することができる。
【００４０】
ホストコンピューター１のケースの頂部の形状と接続部材２の底部の形状は互いに対応するので、各自の固定接続機構を固定接続し易く、接続されてから易く緩まない。
【００４１】
以上実施例に基づいて本発明を具体的に説明したが、本発明は上述の実施例に限定されるものではなく、その要旨を逸脱しない限り、添付の実用新案請求の範囲の精神及び範囲内に含まれる種々の変更や類似の構成は、すべて最も広い解釈によって本発明の保護範囲内に含まれる。
【符号の説明】
【００４２】
１  ホストコンピューター
２  接続部材
３  警報線
４  主電源線
１０１  メインコントロール装置
１０２  充電接触子
１０３  内部接続線
１０５，２０５  固定接続機構
１０６  電源ジャック
１０７  警報線ジャック
２０１  弾性素子
２０２  充電端子
２０３  充電線
２０４  警報接続線
２０６  ケーブル
Ｓ  被保護電子設備
【図１】
0006423074.tif 000002
【図２】
0006423074.tif 000003
【図３】
0006423074.tif 000004
【図４】
0006423074.tif 000005